(57)【要約】【課題】  施工し易く、施工工数が少なくてすみ、しかも、寒暖の差によって外壁ボードが膨張収縮し、目地幅が変化しても、表面にクラックの入らない目地構造と、この目地構造に施工するために使用する目地処理材や目地処理方法を提供すること。【解決手段】  複数個の外壁ボード４２−１が外壁面に取り付けられた建物における隣接する外壁ボード４２−１間の目地構造であって、弾性を有するシーリング材層５１が、隣接する２個の外壁ボードの側縁部に、この２個の外壁ボード間の目地Ｍ（Ｎ）部に充填され、その上面に弾性を有する粘着材付目地材層５２からなる目地処理材５が設けられている。【選択図】図３
2005330664.tif 000002
【特許請求の範囲】
【請求項１】
複数個の外壁ボードが外壁面に取り付けられた建物における隣接する外壁ボード間の目地構造であって、弾性を有するシーリング材層が、隣接する２個の外壁ボードの側縁部に、この２個の外壁ボード間の目地部に充填され、その上面に弾性を有する粘着材付目地材層からなる目地処理材が設けられていることを特徴とする目地構造。
【請求項２】
引っ張り伸張率が２００％以上の弾性を有するシーリング材層及び引っ張り伸張率が２００％以上の弾性を有する粘着材付目地材層からなることを特徴とする目地処理材。
【請求項３】
複数個の外壁ボードが外壁面に取り付けられた建物における隣接する外壁ボード間の目地を処理する目地処理方法であって、この隣接する２個の外壁ボードの側縁部の表面側には面取り部が設けられ、この２個の外壁ボード間の面取り部に形成される溝に、弾性を有するシーリング材層を充填し、その上面に弾性を有する粘着材付目地材層からなる目地処理材を貼付することを特徴とする目地処理方法。
【発明の詳細な説明】
【技術分野】
【０００１】
本発明は、複数個の外壁ボードが外壁面に取り付けられた建物における隣接する外壁ボード間の目地構造と、この目地構造に施工するために使用する目地処理材や目地処理方法に関する。
【背景技術】
【０００２】
従来の建物の外壁としては、建物の外壁面の全面にモルタル層等を設けた外壁が多かったが、この方法では、現場施工期間が長くなるので、最近では、予め製造されている複数個の外壁ボードを建物の外壁面に並べて取り付けた外壁が多く採用されている。
この方法では、複数個の外壁ボードを取り付けたときに、隣接する２個の外壁ボード間に目地が形成され、この目地を通って雨水等が外壁の内側に浸入して建物に悪影響を及ぼすので、この目地を通して雨水等が浸入しない目地構造にする必要がある。
【０００３】
この雨水等の浸入しない目地構造としては、目地の中にゴム弾性を有する長尺体のガスケットを挿入する構造が多く採用されているが、このガスケットを挿入する構造では、目地が見えて美麗でないので、特許文献１に記載あるように、テープを隣接する２個の外壁ボードの側縁部に、この隣接する２個の外壁ボード間の目地を覆う状態に、差し渡して、接着し、このテープの上からこのテープよりも幅広の寒冷紗を張り、更に、この寒冷紗の上からそれよりも広い面積にわたって弾性シール材を帯状に塗布した構造や、特許文献２に記載あるように目地部の裏面を接着剤で木質の下地材に接着させると共に釘又はビスで外壁材の目地部を下地材に固定し、その目地部に弾性シーリング材又は弾性パテを介在させる目地構造が提案されている。或いは、特許文献３に記載あるように、目地方向に釘、ビス等で固定された板体が壁下地として使用され、一方の板体が端部において表面側より厚みの途中まで段状に切除されて、他方の板体と突き合わされて半溝を形成した目地部に硬化収縮率２％以下、引っ張り伸び率２％以下の硬質パテを充填し、弾性クロス及び弾性パテを該目地部に亘って覆って重層した後に塗材を塗工する壁面仕上げ構造が提案されている。
【０００４】
【特許文献１】特公平２−１３７０２号公報
【特許文献２】実開平５−６４３４２号公報
【特許文献３】特開２００２−２１２８７号公報
【発明の開示】
【発明が解決しようとする課題】
【０００５】
しかしながら、上記特許文献１に記載されている目地構造では、外壁ボードが寒暖の差によって膨張収縮し、目地幅が変動したときに、テープがこの目地の幅の変動に追随する機能を持たないために、一方の外壁ボードから剥離し、その結果、表面にひび割れが発生するという問題がある。
【０００６】
また、特許文献２に記載されている目地構造では、外壁ボードが寒暖の差によって膨張収縮しても外壁ボードを下地材に接着し、釘又はビスで固定して目地部の伸縮を防止することにより、目地部の伸縮応力を緩和することによりひび割れ等の発生を防止することができるが、下地材と外壁ボードとあらかじめ接着し、更に釘で固定する等施工工数が多く施工に長時間かかるという問題がある。
【０００７】
また、特許文献３に記載されている壁面仕上げ構造では、外壁ボードを下地材に釘、ビス等で固定し、外壁ボード間の半溝に硬質パテを充填し、弾性クロス及び弾性パテを重層し、塗材を塗工することにより、ひび割れの発生や目地部の凹みを防止することができるが、寸法変化率が０．２％以下の外壁ボードの使用に限定され、硬質パテの使用及び弾性クロス及び弾性パテを重層する等施工工数が多く、手間がかかるという問題がある。
【０００８】
そこで、本発明の目的は、施工し易く、施工工数が少なくてすみ、しかも、寒暖の差によって外壁ボードが膨張収縮し、目地幅が変化しても、表面にクラックの入らない目地構造と、この目地構造に施工するために使用する目地処理材や目地処理方法を提供することである。
【課題を解決するための手段】
【０００９】
本発明は上記目的を達成するためになされたものであって、請求項１記載の発明は、複数個の外壁ボードが外壁面に取り付けられた建物における隣接する外壁ボード間の目地構造であって、弾性を有するシーリング材層が、隣接する２個の外壁ボードの側縁部に、この２個の外壁ボード間の目地部に充填され、その上面に弾性を有する粘着材付目地材層からなる目地処理材が設けられている目地構造を特徴とするものである。
【００１０】
本発明における弾性を有するシーリング材層に用いられる材料としては、アクリル系、変性シリコーン系、ウレタン系、ポリサルファイド系の弾性シーリング材が使用できるがアクリル系シーリング材が好適である。又、弾性を有する粘着材付目地材層に用いられる材料としては、粘着材としてはゴム系粘着材、アクリル系粘着材等種々な粘着材が使用できるがアクリル系粘着材が好適である。弾性を有する目地材としては天然ゴム、合成ゴム等のゴムや、ウレタン系、軟質塩化ビニル系、アクリル系等が使用できるがアクリル系の目地材が好適である。
そして、弾性を有するシーリング材層に用いられる材料と弾性を有する粘着材付目地材層に用いられる材料は上記記載の材料により適宜組み合わされて使用できるが、アクリル系シーリング材層、アクリル系粘着材付アクリル系目地材層の組み合わせが目地処理材として好適である。
【００１１】
請求項２記載の発明は、引っ張り伸張率が２００％以上の弾性を有するシーリング材層及び引っ張り伸張率が２００％以上の弾性を有する粘着材付目地材層からなる目地処理材を特徴とするものである。
【００１２】
この請求項２記載の発明の目地処理材は引っ張り伸張率が２００％以上の弾性を有するシーリング材層及び引っ張り伸張率が２００％以上の弾性を有する粘着材付目地材層からなるので、寒暖の差によって外壁ボードが膨張収縮したり、外壁ボードを固定する下地材（縦材）の寸法変化により目地幅が変化しても、十分に追随することができる。
シーリング材層と粘着材付目地材層からなる目地処理材の引っ張り伸張率は２００％以上以上であることが好ましく、４００％以上がより好ましい。目地処理材の引っ張り伸張率が２００％未満では寒暖の差によって外壁ボードが膨張収縮したり、外壁ボードを固定する下地材（縦材）の寸法変化により目地幅が変化したとき、十分に追随することができない。
【００１３】
請求項３記載の発明は、複数個の外壁ボードが外壁面に取り付けられた建物における隣接する外壁ボード間の目地を処理する目地処理方法であって、この隣接する２個の外壁ボードの側縁部の表面側には面取り部が設けられ、この２個の外壁ボード間の面取り部に形成される溝に、弾性を有するシーリング材層を充填し、その上面に弾性を有する粘着材付目地材層からなる目地処理材を貼付する目地処理方法を特徴とするものである。
【００１４】
隣接する２個の外壁ボードの側縁部の表面側には面取り部が設けられるが、片側の面取り幅としては５〜１０ｍｍ、両側で１０〜２０ｍｍ幅が好ましく、また、面取り深さとして５〜１０ｍｍが好ましい。その結果、面取り部の間に形成される断面逆三角形の溝は２５〜１００ｍｍ2の断面を有しシーリング材の充填効果による目地シール機能を発揮する。
一方、面取り幅や面取り深さが５ｍｍ未満では断面積が１２．５ｍｍ2以下であるのでシーリング材の充填効果を十分に発揮できず、上記シーリング材の目地シール性能が十分に発揮できない。面取り幅や面取り深さが１０ｍｍを超えると溝の断面積が１００ｍｍ2を超えるため、上記シーリング材や粘着材付目地材層の使用量が増大しコストが高くなる。
（作用）
【００１５】
請求項１記載の発明では、複数個の外壁ボードが外壁面に取り付けられた建物における隣接する外壁ボード間の目地構造であって、弾性を有するシーリング材層が、隣接する２個の外壁ボードの側縁部に、この２個の外壁ボード間の目地部に充填され、その上面に弾性を有する粘着材付目地材層からなる目地処理材層が設けられている目地構造であるので、雨水等がこの目地部分に吹き付けても、この弾性を有するシーリング材層及び弾性を有する粘着材付目地材層からなる目地処理材に遮られて目地の中に浸入することができない。
しかも、外壁ボードが寒暖の差によって膨張収縮して目地幅が変化しても、弾性を有するシーリング材層及び弾性を有する粘着材付目地材層からなる目地処理材が伸縮するので、弾性を有するシーリング材層及び弾性を有する粘着材付目地材層からなる目地処理材が外壁ボードから剥離しないし、表面にクラックが発生しない。
【００１６】
請求項２記載の発明では、引っ張り伸張率が２００％以上の弾性を有するシーリング材層及び引っ張り伸張率が２００％以上の弾性を有する粘着材付目地材層からなる目地処理材であるので、寒暖の差によって外壁ボードが膨張収縮したり、外壁ボードを固定する下地材（縦材）の寸法変化により目地幅が変化しても、十分に追随することができる。
【００１７】
しかも、施工した目地構造は、請求項１記載の目地構造の作用の項で説明したように、防水性がよいし、引っ張り伸張率が２００％以上の弾性を有するシーリング材層及び引っ張り伸張率が２００％以上の弾性を有する粘着材付目地材層からなる目地処理材が外壁ボードの側縁部に強固に接着していて、外壁ボードが寒暖の差によって膨張収縮し、目地幅が変化しても、引っ張り伸張率が２００％以上の弾性を有するシーリング材層及び引っ張り伸張率が２００％以上の弾性を有する粘着材付目地材層からなる目地処理材が伸縮して外壁ボードから剥離しないし表面にクラックが入らない。
【００１８】
請求項３記載の発明では、複数個の外壁ボードが外壁面に取り付けられた建物における隣接する外壁ボード間の目地を処理する目地処理方法であって、この隣接する２個の外壁ボードの側縁部の表面側には面取り部が設けられ、この２個の外壁ボード間の面取り部に形成される溝に、弾性を有するシーリング材層を充填し、その上面に弾性を有する粘着材付目地材層からなる目地処理材を貼付する目地処理方法であるので、防水性がよいし、弾性を有するシーリング材層及び弾性を有する粘着材付目地材層からなる目地処理材が外壁ボードの側縁部に強固に接着していて外壁ボードが寒暖の差によって膨張収縮し、目地の幅が変化しても、弾性を有するシーリング材層及び弾性を有する粘着材付目地材層からなる目地処理材が伸縮して外壁ボードから剥離しないし、表面にクラックが入らない。
【００１９】
しかも、隣接する２個の外壁ボードの側縁部の表面側には面取り部が設けられるが、片側の面取り幅としては５〜１０ｍｍ、両側で１０〜２０ｍｍ幅、また、面取り深さとして５〜１０ｍｍであるので、面取り部に形成される逆三角形の溝部に上記弾性を有するシーリング材層が十分に充填され、その上に弾性を有する粘着材付目地材層が貼付されるので、この目地の防水性がよいし、外壁ボードの側縁部に強固に接着していて、外壁ボードが寒暖の差によって膨張収縮し目地の幅が変化しても面取り部に形成された溝部に十分に充填された弾性を有するシーリング材層及び弾性を有する粘着材付目地材層からなる目地処理材が伸縮して外壁ボードから剥離しないし、表面にクラックが入らない。
【発明の効果】
【００２０】
以上説明したように、請求項１記載の発明は、複数個の外壁ボードが外壁面に取り付けられた建物における隣接する外壁ボード間の目地構造であって、弾性を有するシーリング材層が、隣接する２個の外壁ボードの側縁部に、この２個の外壁ボード間の目地部に充填され、その上面に弾性を有する粘着材付目地材層からなる目地処理材が設けられている目地構造であるから、雨水等がこの目地部分に吹き付けても、この弾性を有するシーリング材層及び弾性を有する粘着材付目地材層からなる目地処理材に遮られて目地の中に浸入することができない。
しかも、外壁ボードが寒暖の差によって膨張収縮して目地幅が変化しても、弾性を有するシーリング材層及び弾性を有する粘着材付目地材層からなる目地処理材が伸縮するから、弾性を有するシーリング材層及び弾性を有する粘着材付目地材層からなる目地処理材が外壁ボードから剥離しないし、表面にクラックが発生しない。
【００２１】
請求項２記載の発明は、引っ張り伸張率が２００％以上の弾性を有するシーリング材層及び引っ張り伸張率が２００％以上の弾性を有する粘着材付目地材層からなる目地処理材であるから、寒暖の差によって外壁ボードが膨張収縮したり、外壁ボードを固定する下地材（縦材）の寸法変化により目地幅が変化しても、十分に追随することができる。
【００２２】
しかも、施工した目地構造は、請求項１記載の目地構造の作用の項で説明したように、防水性がよいし、引っ張り伸張率が２００％以上の弾性を有するシーリング材層及び引っ張り伸張率が２００％以上の弾性を有する粘着材付目地材層からなる目地処理材が外壁ボードの側縁部に強固に接着していて、外壁ボードが寒暖の差によって膨張収縮し、目地幅が変化しても引っ張り伸張率が２００％以上の弾性を有するシーリング材層及び引っ張り伸張率が２００％以上の弾性を有する粘着材付目地材層からなる目地処理材が伸縮して外壁ボードから剥離しないし表面にクラックが入らない。
【００２３】
請求項３記載の発明は、複数個の外壁ボードが外壁面に取り付けられた建物における隣接する外壁ボード間の目地を処理する目地処理方法であって、この隣接する２個の外壁ボードの側縁部の表面側には面取り部が設けられ、この２個の外壁ボード間の面取り部に形成される溝部に、弾性を有するシーリング材層を充填し、その上面に弾性を有する粘着材付目地材層からなる目地処理材を貼付する目地処理方法であるから、防水性がよいし、弾性を有するシーリング材層及び弾性を有する粘着材付目地材層からなる目地処理材が外壁ボードの側縁部に強固に接着していて外壁ボードが寒暖の差によって膨張収縮し、目地の幅が変化しても、弾性を有するシーリング材層及び弾性を有する粘着材付目地材層からなる目地処理材が伸縮して外壁ボードから剥離しないし、表面にクラックが入らない。
【００２４】
しかも、隣接する２個の外壁ボードの側縁部の表面側には面取り部が設けられるが、片側の面取り幅としては５〜１０ｍｍ、両側で１０〜２０ｍｍ幅、また、面取り深さとして５〜１０ｍｍであるから、面取り部に形成される逆三角形の溝部に上記弾性を有するシーリング材層が十分に充填され、その上に弾性を有する粘着材付目地材層が貼付されるから、この目地の防水性がよいし、外壁ボードの側縁部に強固に接着していて、外壁ボードが寒暖の差によって膨張収縮し、目地の幅が変化しても面取り部の溝に十分に充填された弾性を有するシーリング材層及び弾性を有する粘着材付目地材層からなる目地処理材が伸縮して外壁ボードから剥離しないし、表面にクラックが入らない。
【発明を実施するための最良の形態】
【００２５】
以下、本発明を実施するための最良の形態を実施例で詳細に説明する。
【００２６】
図１〜図４は本発明をユニット建物に適用した一実施例であって、図１はユニット建物を示す斜視図、図２は建物ユニットを示す一部切欠斜視図、図３は２個の外壁ボード間の目地部分（図１のＡ部分と図２のＢ部分）の断面を示す断面図、図４（ａ）は目地処理材の施工状態を示す斜視図、（ｂ）は（ａ）から下地材の変形により隣接する外壁ボードに隙間を生じた状態を示す断面図である。
【００２７】
図１〜図４において、Ｈはユニット建物であり、このユニット建物Ｈは、図１に示すように、基礎９の上に９個の建物ユニット１が据え付けられて１階が形成され、この１階の建物ユニット１の上に９個の建物ユニットが据え付けられて２階が形成され、この２階の建物ユニット１の上に複数個の屋根ユニット２（境界の線を省略）が取り付けられたものである。
このユニット建物Ｈを構成する建物ユニット１は、図２に示すように、床パネル３と、この床パネル３の周囲に立設された複数個の壁パネル４と、この複数個の壁パネル４の上端に取り付けられた複数個の壁パネル４を連結する継なぎ材１５とからなる。
【００２８】
床パネル３は、木製の枠３１と、この枠３１の上面に取り付けられたパーチクルボードの床ボード３２とからなる。
壁パネル４は、木製の枠４１と、この枠４１の片面または両面に取り付けられた壁ボード４２とからなる。
この際、壁パネル４の一面が外壁である場合には、壁ボード４２に硬質木片セメント板の外壁ボード４２−１が使用され、間仕切り壁や内壁である場合には、壁ボード４２に石膏ボードの内壁ボード４２−２が使用される。
【００２９】
５は目地処理材であり、この目地処理材５は、図３に示すように、弾性を有するシーリング材層５１と弾性を有するアクリル粘着材５２−１付目地材５２−２（５２）とからなる。
この弾性を有するシーリング材層５１はアクリル系シーリング材で引っ張り伸張率は約５００％である。また、弾性を有するアクリル粘着材５２−１付目地材５２−２（５２）もアクリル系目地材で引っ張り伸張率は約５００％である。
【００３０】
そして、この目地処理材５は次に示すように使用する。
即ち、弾性を有するアクリル系シーリング材層５１を隣接する２個の外壁ボード４２−１の側縁部の面取り部４２−２、４２−２とからなる断面が逆三角形の溝に充填する。この際の面取り幅は7〜８ｍｍ，面取り深さも7〜８ｍｍが適当である。即ち図４に示すように２個の外壁ボード４２−１の側縁部に生ずる面取り幅Ｌは１４〜１６ｍｍ、面取り深さＨは7〜８ｍｍになされている。したがって、ここに形成される断面が逆三角形の溝は４９〜６４平方ミリメートルの断面積を有する。
そして、溝部に充填した弾性を有するアクリル系シーリング材層５１の上に、面取り幅より広幅にわたって弾性を有するアクリル系粘着材５２−１付アクリル系目地材５２−２（５２）層を、この２個の外壁ボード４２間の目地を覆った状態に接着する。
この目地処理材５をこのように使用すると、この建物ユニット１の２個の隣接する外壁ボード４２−１の目地部分（図２のＮ部分）や、ユニット建物Ｈの隣接する建物ユニット１の外壁ボード４２−１の目地部分（図１のＭ部分）に、図３に示すように、弾性を有するアクリル系シーリング材層５１及び弾性を有するアクリル系粘着材５２−１付アクリル系目地材５２−２（５２）層からなる目地処理材５が、この２個の外壁ボード４２−１間の目地を覆った状態に、設けられる。
【００３１】
なお、図２のＮ部分では、隣接する２個の外壁ボード４２−１が突き合わされていて、この間の隙間は略０であるが、図１のＭ部分では若干（通常１〜３ｍｍ）の隙間がある。
屋根ユニット２は従来と略同じであるので、説明を省略する。
【００３２】
次に、このユニット建物Ｈの施工方法及び作用について説明する。
先ず、床パネル３と壁パネル４を製造する。
次に、床パネル３の周囲に壁パネル４を立設する。
この際、壁パネル４の一面が外壁ボード４２−１である場合には、隣接する２個の外壁ボード４２−１間に形成されている目地窪みに目地処理材５を取り付ける。
【００３３】
この目地処理材５を取り付ける施工方法及び作用について詳細に説明する。
先ず、弾性を有するアクリル系シーリング材５１を隣接する２個の外壁ボード４２−１の側縁部の、面取り部４２−２、４２−２とからなる断面が逆三角形の溝に充填する。この２個の外壁ボード４２−１間の目地Ｍ（Ｎ）を塞いだ状態に充填し、この上に面取り幅より広幅にわたって弾性を有するアクリル系粘着材５２−１付アクリル系目地材５２−２（５２）を隣接する２個の外壁ボード４２−１の目地を覆った状態に接着する。
【００３４】
次に、図４（ｂ）に示すように、下地材である木製の枠４１が変形して２個の外壁ボード４２−１間の目地部Ｍ（Ｎ）の隙間ｄが１０ｍｍ程度変形した場合、面取り部４２−２、４２−２が無い場合の目地部Ｍ（Ｎ）は０〜１〜３ｍｍから１０ｍｍ程度変形したことになりその伸び率は∞〜３００％以上と成るのに対して、面取り部４２−２、４２−２が１５ｍｍ程度の断面逆三角形の溝がある場合には弾性を有するアクリル系シーリング材の幅１５ｍｍ＋変形幅１０ｍｍをシーリング材の幅１０mmで負担するので伸び率は１６７％と大幅に緩和でき、目地変形に容易に追従できる。
【００３５】
このようにして製造した建物ユニット１、屋根パネル２を施工現場に運搬する。
施工現場では、予め設けられている基礎９の上に９個の建物ユニット１を据え付けて１階を形成し、この１階の建物ユニット１の上に９個の建物ユニット１を据え付けて２階を形成し、この２階の建物ユニット１の上に屋根ユニット１の上に複数個の屋根パネル２を取り付ける。
すると、隣接する建物ユニット１の２個の外壁ボード４２−１の間には１〜３ｍｍの隙間が形成される。
【００３６】
次に、この建物ユニット１の間に形成すされる外壁ボード４２−１間の１〜３ｍｍの隙間である目地Ｍ（Ｎ）に目地処理材５を取り付け目地処理を施す。
この目地処理方法は、既に説明した建物ユニット１の外壁ボード４２−１の目地Ｍ（Ｎ）を処理する処理方法と同じであるので説明を省略する。
このように目地Ｍと目地Ｎを処理すると、目地処理材５は、弾性を有するシーリング材層５１と弾性を有するアクリル粘着材５２−１付目地材５２−２（５２）とからＮＡＲＵ目地処理材５を隣接する２個の外壁ボード４２−１の目地を覆った状態に、設けられるので雨水等が浸入しない目地構造にすることができる。
【００３７】
このように、目地処理材５を施工した後、外壁ボード４２−１や目地Ｍ、Ｎの上に上塗り塗装を施したり、種々な仕上げを行うと、ユニット建物Ｈが完成する。
【００３８】
このようにして完成したユニット建物Ｈの隣接する外壁ボード４２−１間では、弾性を有するシーリング材層５１と弾性を有するアクリル粘着材５２−１付目地材５２−２（５２）とからなる目地処理材５が隣接する２個の外壁ボード４２−１間の目地を覆った状態に、設けられているので、雨水等がこの目地部分に吹き付けても、この弾性を有するシーリング材層５１と弾性を有するアクリル粘着材５２−１付目地材５２−２（５２）とからなる目地処理材５に遮られて目地の中に浸入しない。
しかも、施工した目地構造は、弾性を有するシーリング材層５１と弾性を有するアクリル粘着材５２−１付目地材５２−２（５２）とからなる目地処理材５が外壁ボード４２−１の側縁部の目地間に強固に接着していて、外壁ボード４２−１が寒暖の差によって膨張収縮し、目地Ｍ、Ｎの幅が変化しても、弾弾性を有するシーリング材層５１と弾性を有するアクリル粘着材５２−１付目地材５２−２（５２）とからなる目地処理材５が伸縮して外壁ボード４２−１から剥離しないし、表面にクラックが入らない。
【産業上の利用可能性】
【００３９】
この実施例では、ユニット建物の目地構造、この目地構造にする目地処理方法について説明したが、その他の建物の目地構造にも応用できる。
また、弾性を有するシーリング材層としてアクリル系シーリング材について説明したが、その他の弾性を有するシーリング材であっても良いし、弾性を有するアクリル粘着材５２−１付アクリル系目地材について説明したが、その他の弾性を有する粘着材付目地材であっても良い。
【図面の簡単な説明】
【００４０】
【図１】実施例１のユニット建物を示す斜視図である。
【図２】実施例１の建物ユニットを示す一部切欠斜視図である。
【図３】実施例１の２個の外壁ボード間の目地部分（図１のＡ部分と図２のＢ部分）の断面を示す断面図である。
【図４】（ａ）は目地処理材の施工状態を示す斜視図、（ｂ）は（ａ）から下地材の変形により隣接する外壁ボードに隙間を生じた状態を示す断面図である。
【符号の説明】
【００４１】
４２−１、４２ａ−１      外壁ボード
５              目地処理材
５１，５１ａ    弾性を有するシーリング材
５２、５２ａ    弾性を有する粘着材付目地材
Ｍ、Ｍａ        建物ユニットの外壁ボード間の目地
Ｎ、Ｎａ        建物ユニット間の外壁ボード間の目地
【図１】
2005330664.tif 000003
【図２】
2005330664.tif 000004
【図３】
2005330664.tif 000005
【図４】
2005330664.tif 000006